(57)【特許請求の範囲】
【請求項１】
２本の外脚と１本の内脚とを有する第１のＥ字コアと、２本の外脚と１本の内脚とを有するとともに、日の字状閉磁路を形成するように前記第１のＥ字コアと対向して配置された第２のＥ字コアと、前記第１のＥ字コアの内脚に巻回した一次コイルと前記第２のＥ字コアの内脚に巻回した二次コイルとを備え、前記第２のＥ字コアの外脚はこれに突き合わせた前記第１のＥ字コアの外脚よりも太くするとともに、前記第１のＥ字コアの内脚はこれに突き合わせた前記第２のＥ字コアの内脚よりも太くし、前記第１のＥ字コアの内脚を前記第１のＥ字コアの外脚よりも長くするとともに、前記第２のＥ字コアの内脚を第２のＥ字コアの外脚よりも短くしたトランス。
【請求項２】
２本の外脚と１本の内脚とを有する第１のＥ字コアと、２本の外脚と１本の内脚とを有するとともに、日の字状閉磁路を形成するように前記第１のＥ字コアと対向して配置された第２のＥ字コアと、前記第１のＥ字コアの内脚に巻回した一次コイルと前記第２のＥ字コアの内脚に巻回した二次コイルとを備え、前記第２のＥ字コアの外脚はこれに突き合わせた前記第１のＥ字コアの外脚よりも太くするとともに、前記第１のＥ字コアの内脚はこれに突き合わせた前記第２のＥ字コアの内脚よりも太くし、第１のＥ字コアの内脚を第１のＥ字コアの外脚よりも短くするとともに、第２のＥ字コアの内脚を第２のＥ字コアの外脚よりも長くしたトランス。
【発明の詳細な説明】
【技術分野】
【０００１】
本発明は、ディスプレイ装置等の各種電子機器に用いられるトランスに関するものである。
【背景技術】
【０００２】
従来この種のトランスは、図７に示されるように、脚１Ａ、１Ｂ、１Ｃを有するＥ字コア１と、脚２Ａ、２Ｂ、２Ｃを有するＥ字コア２と、Ｅ字コア１、Ｅ字コア２に巻回したコイル３Ａ、３Ｂとを備え、Ｅ字コア２の有する脚２Ａ、２Ｂ、２ＣをＥ字コア１の有する脚１Ａ、１Ｂ、１Ｃよりも細い構成とすることにより、漏磁束を積極的に発生させることで、ディスプレイ装置用の電気回路等に用いる漏磁束トランスとして利用されていた。
【０００３】
なお、この出願に関する先行技術文献情報としては、例えば、特許文献１が知られている。
【特許文献１】特開平８−２８８１５９号公報
【発明の開示】
【発明が解決しようとする課題】
【０００４】
このような従来のトランスは他の実装部品等に悪影響をもたらすことが問題となっていた。
【０００５】
すなわち、上記従来の構成においては、Ｅ字コア２の脚２Ａ、２Ｂ、２Ｃを細くすることによって、磁気抵抗を増やし、磁束を外へ締め出すようにして漏磁束を発生させていたため、図８に示すごとく、Ｅ字コア２のそれぞれの脚２Ａ、２Ｂ、２Ｃから放射状に漏磁束１３が発生してしまう。そのため、この漏磁束１３が他の部品を通過することに起因して、例えばその端子部分に過電流が発生するなどの悪影響をもたらしていた。
【０００６】
そこで本発明は、漏磁束を発生させるトランスにおいて、他の実装部品への悪影響を低減することを目的とする。
【課題を解決するための手段】
【０００７】
そして、この目的を達成するために本発明は、第１のＥ字コアの内脚に巻回した一次コイルと第２のＥ字コアの内脚に巻回した二次コイルとを備え、前記第２のＥ字コアの外脚はこれに突き合わせた前記第１のＥ字コアの外脚よりも太くするとともに、前記第１のＥ字コアの内脚はこれに突き合わせた前記第２のＥ字コアの内脚よりも太くし、前記第１のＥ字コアの内脚を前記第１のＥ字コアの外脚よりも長くするとともに、前記第２のＥ字コアの内脚を第２のＥ字コアの外脚よりも短くしたものである。
【発明の効果】
【０００８】
本発明のトランスは、意識的に太くした第２のＥ字コアの外脚と、一次コイルを有したうえで意識的に太くした第１のＥ字コアの内脚との間において、局所的に漏磁束を発生させるため、放射状の漏磁束の発生量を増やすことがなく、他の実装部品への悪影響を低減することができる。
【発明を実施するための最良の形態】
【０００９】
（実施の形態１）
以下、本発明の実施の形態１におけるトランスについて図面を参照しながら説明する。
【００１０】
図１において、二つのＥ字コア４、５はそれぞれ外脚４Ａ、４Ｂ、外脚５Ａ、５Ｂを背脚４Ｄ、背脚５Ｄの両端部分に有しており、背脚４Ｄ、背脚５Ｄの略中央部分にはそれぞれ、内脚４Ｃ、内脚５Ｃを有している。そして、この二つのＥ字コア４、５を対向する位置に配置している。
【００１１】
そして、Ｅ字コア４の内脚４Ｃの太さをＥ字コア５の内脚５Ｃの太さよりも太くし、Ｅ字コア５の外脚５Ａ、５ＢをそれぞれＥ字コア４の外脚４Ａ、４Ｂよりも太くしている。
【００１２】
そして、Ｅ字コア４の内脚４Ａには一次コイル６Ａを、Ｅ字コア５の内脚５Ａには二次コイル６Ｂを巻回している。
【００１３】
このような構成にしたため、磁束は図２に示すような流れになる。即ち、Ｅ字コア４の内脚４Ｃに巻回した一次コイル６Ａに電流が流れると、磁束７Ａが発生し、この磁束７ＡがＥ字コア５の内脚５Ｃを通ることにより、この内脚５Ｃに巻回された二次コイル６Ｂに電流が流れる。そして、Ｅ字コア４の内脚４Ｃと、Ｅ字コア５の外脚５Ａ、５Ｂとを、意識的に太くすることで接近させ、内脚４Ｃと外脚５Ａ、５Ｂとの間において漏磁束７Ｂを局所的に発生させることができる。
【００１４】
このように、放射状の漏磁束（図示せず）を大量に発生させることなく、漏磁束７Ｂを局所的に発生させることにより、ランプを用いるディスプレイ装置等の電源回路において有効に利用することができ、且つ他の実装部品に対する悪影響を低減することができる。
【００１５】
なお、一次コイル６Ａ及び二次コイル６Ｂは、本願構成と異なる部分に巻回しても構わないが、最も大きな磁束７Ａの流れが発生する一次コイル６Ａ巻回部分は、意識的に太くしたＥ字コア４の内脚４Ｃとすることが望ましい。
【００１６】
さらに、Ｅ字コア４の内脚４Ｃの長さ及びＥ字コア５の内脚５Ｃの長さを可変することにより、漏磁束７Ｂの量を可変することができる。例えば、図３に示すように、Ｅ字コア４の内脚４Ｃを長くし、Ｅ字コア５の内脚５Ｃをその分短くすることで、意識的に太くしたＥ字コア４の内脚４Ｃと、意識的に太くしたＥ字コア５の外脚５Ａ、５Ｂとの対向する面積が増えることにより、図４に示すごとく漏磁束７Ｂの発生量を大きくすることができる。逆に、Ｅ字コア４の内脚４Ｃを短くし、Ｅ字コア５の内脚５Ｃをその分長くすることで、内脚４Ｃと外脚５Ａ、５Ｂとの対向する面積を減少させることにより、漏磁束７Ｂの発生量を小さくすることができる。
【００１７】
（実施の形態２）
以下、本発明の実施の形態２におけるトランスについて図面を参照しながら説明する。
【００１８】
図５において、二つのＵ字コア８、９は、それぞれ脚８Ａ、８Ｂ、脚９Ａ、９Ｂを背脚８Ｃ、背脚９Ｃの両端部分に有しており、互いに対向する位置に配置されている。
【００１９】
そして、Ｕ字コア８の脚８Ｂの太さをＵ字コア９の脚９Ｂの太さよりも太くし、Ｕ字コア９の脚９ＡをＵ字コア８の脚８Ａよりも太くしている。
【００２０】
そして、Ｕ字コア８の脚８Ｂには一次コイル１０Ａを、Ｕ字コア９の背脚９Ｃには二次コイル１０Ｂを巻回している。
【００２１】
このような構成にしたため、磁束は図６に示すような流れになる。即ち、Ｕ字コア８の背脚８Ｃに巻回した一次コイル１０Ａに電流が流れると、磁束１１Ａが発生し、この磁束１１ＡがＵ字コア９の背脚９Ｃを通ることにより、この背脚９Ｃに巻回された二次コイル１０Ｂに電流が流れる。そして、Ｕ字コア８の脚８Ｂと、Ｕ字コア９の脚９Ａとを、意識的に太くすることで接近させ、脚８Ｂ、脚９Ａ間において、漏磁束１１Ｂを局所的に発生させることができる。
【００２２】
このように、放射状の漏磁束（図示せず）を大量に発生させることなく、漏磁束１１Ｂを局所的に発生させることにより、ランプを用いるディスプレイ装置等の電源回路において有効に利用することができ、且つ他の実装部品に対する悪影響を低減することができる。
【００２３】
なお、一次コイル１０Ａ及び二次コイル１０Ｂは、本願構成と異なる部分に巻回しても構わないが、最も大きな磁束の流れが発生する一次コイル１０Ａ巻回部分は、意識的に太くしたＵ字コア８の脚８Ｂとすることが望ましい。
【産業上の利用可能性】
【００２４】
本発明のトランスは、他の実装部品への悪影響を低減することができるという効果を有し、漏磁束を積極的に利用するディスプレイ装置等の電源回路などにおいて有用である。
【図面の簡単な説明】
【００２５】
【図１】本発明の実施の形態１におけるトランスの上面図
【図２】本発明の実施の形態１におけるトランスの斜視図
【図３】本発明の実施の形態１の変形例のトランスの上面図
【図４】本発明の実施の形態１の変形例のトランスの斜視図
【図５】本発明の実施の形態２の変形例のトランスの上面図
【図６】本発明の実施の形態２の変形例のトランスの斜視図
【図７】従来のトランスの上面図
【図８】従来のトランスの斜視図
【符号の説明】
【００２６】
４  Ｅ字コア
４Ａ  外脚
４Ｂ  外脚
４Ｃ  内脚
５  Ｅ字コア
５Ａ  外脚
５Ｂ  外脚
５Ｃ  内脚
６Ａ  一次コイル（コイル）
６Ｂ  二次コイル（コイル）
【図１】
0004747789.tif 000002
【図２】
0004747789.tif 000003
【図３】
0004747789.tif 000004
【図４】
0004747789.tif 000005
【図５】
0004747789.tif 000006
【図６】
0004747789.tif 000007
【図７】
0004747789.tif 000008
【図８】
0004747789.tif 000009